(57)【特許請求の範囲】
【請求項１】
共鳴胴（響体）を持たないギターにおいて、支持具の着脱及び角度調整のための選択可能な複数個の取り付け穴もしくは回動自在な固定具を、ギター本体（胴体部）の少なくとも２ヶ所に備えたことを特徴とするギター。
【請求項２】
前記支持具を左太もも用、右太もも用、右腕用（左利きの人においては左腕用）、胸用の少なくとも２ヶ所に取り付けたことを特徴とする請求項１に記載のギター。
【発明の詳細な説明】
【０００１】
【発明の属する技術分野】
この発明は、共鳴胴（響体）を持たないギターにおいて、着脱あるいは折りたたみが自在で長さと取り付け角度の調整が可能な支持具を備え、ヘッドホンで音を聞くようにしたギターに関する。
【０００２】
【従来の技術】
従来のギター（エレキギターおよびエレガットギターを除く）は豊かな音量を出すために大きな共鳴胴を持っている。したがって生音が大きくて回りの人に迷惑をかけたり、あるいは自分のへたな演奏や練習を聞かれたりすることがあるために、家庭やオフィスなどいつでもどこででもギターを弾けるというわけにはいかなかった。
また本体が大きいので持ち運びや収納が容易でなかったり、小柄な人には共鳴胴部分が大きすぎるため右腕が上がりすぎ、ホールド（構え）が不自然になって弾きにくいなどの問題があった。特にクラシックギターにおいては、ホールド（構え）の良し悪しが演奏性や上達に大きな影響を及ぼすことがわかっている。
そこで、正しいホールドをするために、足台やギターレスト（市販品の支持具）が使われているが、足台を使うと左足（左利きの人においては右足）がいつも上がった状態になるので、背骨が曲がりやすく足にかかる負担も大きくなって長時間の演奏には適さない。またギターレストはすでに知られているように、ボディ（共鳴胴）の前後を爪状の金具（樹脂の被覆付き）で挟んだり、外周に吸盤で吸着して取り付けるようになっているが、外れやすかったり、うまく吸着できずにふらついたり、取り付けの角度と位置をそれぞれ独立して変えられないために取り付け角度の調整範囲に限界があったりして、よほど慣れないと身体にピッタリ合った確実な固定ができずに、かえって不安定になり弾きにくいという問題があった。また取り付け方が悪いと、ギターの表面板や塗装にキズをつける恐れもあった。
また旅行先やアウトドアにおいては、いつでもちょうど良い高さの椅子があるとはかぎらないので、足台やギターレストを使ったとしても、いつも同じホールドでギターを弾くことはできなかった。
いっぽう最近は共鳴胴を小さくしたギターもあるが、依然として生音は出るし、今度は小さすぎる共鳴胴のためにしっかりしたホールドができないなどの問題があった。
また共鳴胴を持たないという点では従来からエレキギターやエレガットギターがあるが、ギター本体の重さ、ボディの大きさ、厚さの点で普通のギターのようなホールドはできないし、持ち運びや収納の点では従来のギター同様に大きくて不便であった。中にはヘッドがなく、糸巻きがブリッジ側にあって、本体も小型のコンパクトなエレキギターがあるが、クラシックタイプのものはないし、支持具そのものあるいは支持具の取り付け穴や固定具は備えていない。
以上のように、どのタイプのギターにおいても、ストラップで肩から吊り下げる場合を除いて、正しいホールド（構え）をする場合に身体と接触する部分すなわち、左右の太もも、右腕（左利きの人においては左腕）、胸の少なくとも２部分それぞれに取り付け角度や長さを調整できる支持具を備えたものはなかった。
【０００３】
【発明が解決しようとする課題】
そこで、本発明はこれらの欠点を除くためになされたもので、持ち運びや収納を容易にすること、生音が出ないようにすること、どのような場所においても、またどのような体格の人にも正しいホールドができて弾きやすくすること、ヘッドホンで音を聞くことができるようにすることを目的としている。
【０００４】
【課題を解決するための手段】
請求項１に記載のギターは、共鳴胴（響体）を持たないギター（ここではエレキギターも含む）において、支持具を着脱するための選択可能な複数個の取り付け穴もしくは回動自在な固定具を、ギター本体（胴体部）の少なくとも２ヶ所に備えたことを特徴としており、前記支持具の取り付け角度を調整するために、角度を変えた取り付け穴を１つの支持具あたり複数個設けるか、固定具の取り付け角度を変えるようになっている。請求項２に記載のギターは、 請求項１において、前記支持具を身体との接触部すなわち左右の太もも用、右腕用（左利きの人においては左腕用）、胸用の少なくとも２ヶ所に取り付けたことを特徴としており、体格（身体の大きさ）や両脚の開き角度や椅子の高さに合わせて、ギター本体（胴体部）への取り付け角度と長さをそれぞれ独立して変えるようになっている。
【０００５】
【作用】
請求項１に記載のギターによれば、支持具を着脱するための選択可能な複数個の取り付け穴もしくは回動自在な固定具をギター本体（胴体部）の少なくとも２ヶ所に備えることによって、前記支持具を簡単に取り外すことができるので、持ち運びや収納を容易にすることができる。また、該取り付け穴は角度を変えて１つの支持具あたり複数個設けるか、該固定具の取り付け角度を変えることによって前記支持具の取り付け角度を簡単に変えることができるので、角度調整が容易になる。請求項２に記載のギターによれば、前記支持具を身体との接触部すなわち左右の太もも用、右腕用（左利きの人においては左腕用）、胸用の少なくとも２ヶ所に取り付けることによって、それぞれ独立して取り付け角度や長さの調整ができるので、体格（身体の大きさ）や両脚の開き角度や椅子の高さに完璧に合わせることができる。
【０００６】
【発明の実施の形態】
以下、この発明の実施形態について図を参照しながら説明する。
（１）第１実施形態の構成
図１は、本発明の第１実施形態によるギターの構成を示す斜視図である。このギターは大きく分けて６つの部分から構成されており、１はギター本体（胴体部）、２は右太もも支持具、３は右腕支持具、４は胸支持具、５は左太もも支持具、６は擬似ボディ片である。
ギター本体（胴体部）１は共鳴胴を持たないので、ネック（指板を含む）をブリッジ方向に延長しただけのネックと概略同じ幅となっていて、内部には増幅部７と電池８およびヘッドホンジャック９が組み込まれている。ブリッジ部の骨棒の下にはピエゾピックアップ（図示せず）が組み込まれているが、これはエレアコ（エレクトリック・アコースティックギター）用に各種市販されているものを使うことができる。またサウンドホールに相当するところには、普通のギターとの演奏上での視覚的な互換性を保つために、サウンドホールの丸い模様の一部が描かれている。もし必要ならばサウンドホール全体の模様が描かれた、ネックよりも幅が大きくて薄いシート状の板を貼り付ければよい。厚みについても普通のギターのように厚くする必要はないので、増幅部７と電池８およびヘッドホンジャック９が組み込めて、反りがなく強度が確保できる範囲で極力薄くしてある。したがって、概略ネック部と同じ厚さであれば、ネックと本体（胴体部）を別々に加工して接着する必要はなく、一体加工ができるのでコストも安く都合がよい。さらに、カエデのような楽器に適した木材であれば、指板も一体で加工することができる。
図２、は支持具取り付け穴の構成を示すギター本体（胴体部）の正面拡大図である。支持具の取り付け穴１０は、角度調整できるように右太もも支持具２、右腕支持具３、左太もも支持具５のそれぞれについて、少しずつ角度を変えて３〜５個程度あけてあるが、１つの穴にして支持具側に角度可変の機構を設けてもよい。また、前記角度可変機構の可変角度を大きくしておけば、そのままギター本体（胴体部）に沿わせて折りたたむこともできる。胸支持具４の取り付け穴については、胴体部の厚さを普通のギターと概略同じにして互換性を保つために、サウンドホール付近の裏側に角度をつけずに数個あけてある。この胸支持具４については、必要のない場合は取り外しておくか、あるいは取り付け穴の１つを深い穴にしておき、奥まで押し込んでおけばよい。
それぞれの支持具は、身体との接触部であるパッド１１と調整部１２および支持棒１３からなっており、右太もも支持具２と左太もも支持具５は図１に示すように、パッド１１が太ももと床面との角度に合わせてシーソーのように可動になっていて、市販品のギターレストの一部をそのまま使うこともできるが、パッド部下面が柔らかくて前後に丸みを帯びた形であれば、必ずしも角度を変えられなくてもよい。また太もも上面に合わせた左右のわん曲についても、柔らかい材質ならばある程度平たくてもよい。さらに右太もも支持具については、普通のギターの外形のように下（外側）に凸形状になっていてもよい。こうすれば支持具の取り付け後、演奏中であっても右脚の開き角度をある程度変えることができて都合がよい。また右腕支持具３のパッドについては上面がゆるやかな凸形状になっていると使いやすいが、場合によっては逆に大もも支持具のパッドのように、腕の丸みに合わせて凹状にわん曲していてもよい。
支持具の取り付け穴は、支持具を手で引っ張れば簡単に抜ける程度の嵌合になっているので、左右の太ももの開き角度や右腕の角度に応じて、支持棒１３を中心に回転が可能になっている。なお右腕支持具３と胸支持具４については、収納しやすいようにパッド部が支持棒から抜けるようにしてもよいし、折りたためるようにしてもよい。
また図１では右太もも支持具２と左太もも支持具５は、市販品のギターレスト同様に２重構造の調整部１２をもっていて、長さ調整可能になっているが、市販品のギターレストの一部をそのまま使うこともできる。またこの調整部１２は右腕支持具３にも適用できるし、それぞれ調整部１２と共に長さの異なる支持棒１３を数本用意して長さ調整してもよい。
なお、図１に示す第１実施形態では、支持具の取り付け穴が４ヶ所、したがって支持具も左太もも用、右太もも用、右腕用、胸用の４種類の例を示したが、胸用を省くかあるいは胴体部の胸と接触する部分を厚くして胸用の代わりとし、取り付け穴３ヶ所、支持具３種類とすることもできる。さらには左太もも用支持具と右太もも用支持具を連結一体化して、１つの太もも用支持具とし、取り付け穴も１ヶ所減らして、取り付け穴２ヶ所、支持具２種類とすることもできる。
擬似ボディ片６は、普通のギターとの演奏上の互換性を保つために１２フレット横に取り付けられており、左手が１２フレットよりもブリッジ側に移動できない程度の大きさになっていて、ギター本体１にあけられた穴に軸で抜き差ししたり、ベルクロなどで固定し、必要に応じて着脱できるようになっている。
図３は各支持具をギター本体（胴体部）から取り外した状態を示す図である。このようにすれば非常に小さくなり、持ち運びや収納がきわめて容易になって、旅行やアウトドアにも手軽に持っていくことができる。
図４は本発明の第１実施形態によるギターをヘッドホンで音を聞きながら演奏している様子を示す図である。この場合、ギター本体とヘッドホンの間に、エフェクターなどの効果音付加装置を挿入して音を聞くことも可能である。なお増幅部に調弦用の音源（Ａ音あるいは６音分）か、あるいはチューナー機能を備えておけば（図示せず）、調弦がきわめてやりやすくなる。
また複数のヘッドホン端子やライン入出力端子を設けておけば、スピーカで音を鳴らしたり仲間とのアンサンブルも可能である。さらにＭＩＤＩ入出力を付加すれば、いろいろな音源で楽しんだり、キーボード（鍵盤）に代わる手軽なマルチメディア用インターフェースとしても使用できる。
（２）第２実施形態の構成
図５は本発明の第２実施形態によるギター本体の背面拡大図で、固定具の実施形態を示す図である。固定具１４は、円形の金具１５に一方がふさがったパイプ１６を溶接して構成されており、金具１５には図５に示すように、２つの円弧状の取り付け用長穴があけられている。この固定具１４はギター本体（胴体部）背面の支持具取り付け個所（図５では右太もも用と右腕用を示している）に木ねじ１８で取り付けられていて、円弧状長穴１７により任意の角度（約３０°）だけ回転させて固定することができる。したがってパイプ１６にはめ込まれた支持具は角度調整をすることができる。なおパイプ１６と支持棒１３の嵌合は、手で簡単に抜き差しできる程度になっている。
（３）第３実施形態の構成
図６は本発明の第３実施形態によるギター本体の正面（一部断面）拡大図で、固定具の他の実施形態を示す図である。固定具は一部が太くなったパイプ状のシャフト１９に、支持棒１３をはめ込んで蝶ねじ２０で固定して、シャフト１９をギター本体の支持具取り付け穴にはめ込むようになっている。したがって蝶ねじ２０をゆるめて支持棒１３を出し入れすることで、ギター本体側でも支持具の長さ調整をすることができる。角度調整については、固定具を角度を変えてあけられた別の取り付け穴にはめ込むことによって行うことができる。なお、固定具とギター本体の取り付け穴との嵌合も、手で抜き差しできる程度になっている。
【０００７】
【発明の効果】
本発明は以上のような構成にしたので、生音が非常に小さくなり、ヘッドホンで音を聞くことによって回りの人に迷惑をかけずにいつでもどこででもギターを弾くことができるようになった。そして長さ調整可能な支持具を備え、該支持具の取り付け角度の調整もできるので、足台や取り付けの不安定なギターレストなどを使うことなく、どのような場所でもまたどのような体格の人にも、その人にぴったり合ったぐらつきのない安定した理想のホールド（構え）ができるようになって、身体にも一切無理な負担がかからず、従来のギター以上に弾きやすいギターとなった。したがって、練習用ギターとしては理想的なギターになった。
しかも、右腕支持具のパッドは右腕に隠れて見えにくくなっているうえに、支持棒も細くて見えにくいこともあって、まるで宙に浮いたネックだけのギターを弾いているようで、正面以外の人には気ずかれずに弾くことさえできる。したがって、視覚的にも従来にはなかった不思議な雰囲気を出すことができるギターとなった。
さらに、支持具を簡単に取り外すことができるので、非常にコンパクトになり持ち運びや収納がきわめて容易になった。特に旅行やアウトドアなどいままでギターを持っていけなかったところにおいても、ギターを弾くことができ、きわめて満足なギターライフを楽しむことができるようになった。またプロの演奏家にとっても、演奏旅行先での練習用として手軽に持参することができるようになった。
また、必要に応じて１２フレット横に擬似ボディ片を取り付けることができるので、従来のギターに持ち替えても互換性が維持され違和感なく弾くことができる。ただしクラシックギター以外のギターにおいては、ハイポジションでの演奏性を向上させるために、１８フレット近くまでボディをえぐったカッタウェイと呼ばれるギターもあり、本発明によるギターの場合も、実際にはこの擬似ボディ片は、取り外しておいたほうがはるかに弾き易いことは言うまでもない。
また、このような構造にしたので共鳴胴が不要となり、材料や加工工数も少なくなってきわめて安いコストで製造が可能となった。
【図面の簡単な説明】
【図１】  本発明の第１実施形態によるギターの構成を示す斜視図である。
【図２】  支持具取り付け穴の構成を示すギター本体（胴体部）の正面拡大図である。
【図３】  各支持具をギター本体（胴体部）から取り外した状態を示す正面図である。
【図４】  本発明の第１実施形態によるギターをヘッドホンで音を聞きながら演奏している様子を示す正面図である。
【図５】  本発明の第２実施形態によるギター本体（胴体部）背面の固定具の構成を示す拡大図である。
【図６】  本発明の第３実施形態によるギター本体（胴体部）正面の固定具の構成を示す拡大図（一部断面図）である。
【図７】  従来のギターレストの使用例を示す正面図である。
【図８】  コンパクト化を図ったエレキギターの一例を示す正面図である。
【符号の説明】
１はギター本体（胴体部）
２は右太もも支持具
３は右腕支持具
４は胸支持具
５は左太もも支持具
６は擬似ボディ片
７は増幅部
８は電池
９はヘッドホンジャック
１０は支持具取り付け穴
１１はパッド部
１２は調整部
１３は支持棒
１４は固定具
１５は金具
１６はパイプ
１７は長穴
１８は木ねじ
１９はシャフト
２０は蝶ねじ
【図１】
0003876442.tif 000002
【図２】
0003876442.tif 000003
【図３】
0003876442.tif 000004
【図４】
0003876442.tif 000005
【図５】
0003876442.tif 000006
【図６】
0003876442.tif 000007
【図７】
0003876442.tif 000008
【図８】
0003876442.tif 000009